(57)【要約】【課題】印字不良を生じさせることなく、交換部品を交換できるようにした記録装置、記録装置の制御方法、制御プログラム及び記録媒体を提供する。【解決手段】プリンタ１０は、キャリッジ３０の移動領域を覆う開閉可能なカバー１１ａを備え、このカバー１１ａが開かれ、かつ、画像記録中の場合、通電によりリボンカートリッジ６０を記録装置本体側に引きつけて固定する電磁石７３に電流を供給して、リボンカートリッジ６０を取り外し不能に固定する。【選択図】      図３
2004351665.tif 000002
【特許請求の範囲】
【請求項１】
キャリッジを移動させて、このキャリッジに載置された記録ヘッドで、記録データに基づいて、リボンカートリッジから送り出されるインクリボンを介してシートに画像を記録する記録装置において、
前記キャリッジの移動領域を覆う開閉可能なカバーを備え、
このカバーが開かれ、かつ、画像記録中の場合、前記リボンカートリッジを取り外し不能に固定する固定手段を備えることを特徴とする記録装置。
【請求項２】
前記リボンカートリッジは、前記キャリッジ或いは記録装置本体に装着されることを特徴とする請求項１に記載の記録装置。
【請求項３】
前記固定手段は、通電により前記リボンカートリッジと、前記キャリッジ或いは記録装置本体とを引きつけて固定する電磁石であることを特徴とする請求項１又は２に記載の記録装置。
【請求項４】
前記リボンカートリッジが取り外されたか否かを判定し、取り外されたと判定した場合は、前記記録データを受信しても前記キャリッジを停止させたままとする駆動停止手段を備えることを特徴とする請求項１乃至３のいずれかに記載の記録装置。
【請求項５】
キャリッジを移動させ、このキャリッジに載置された記録ヘッドから、記録データに基づいて、カートリッジ支持部に支持され、開閉可能な蓋で覆われたインクカートリッジのインクを吐出させてシートに画像を記録する記録装置において、
前記キャリッジの移動領域を覆う開閉可能なカバーを備え、
該カバーが開かれ、かつ、画像記録中の場合、前記蓋を閉状態に固定する固定手段を備えることを特徴とする記録装置。
【請求項６】
前記カートリッジ支持部は、前記キャリッジ或いは記録装置本体に装着されることを特徴とする請求項５に記載の記録装置。
【請求項７】
前記固定手段は、通電により前記蓋とカートリッジ支持部とを引きつけて固定する電磁石であることを特徴とする請求項５又は６に記載の記録装置。
【請求項８】
前記インクカートリッジが取り外されたか否かを判定し、取り外されたと判定した場合は、前記記録データを受信しても前記キャリッジを停止させたままとする駆動停止手段を備えることを特徴とする請求項５乃至７のいずれかに記載の記録装置。
【請求項９】
キャリッジの移動領域を覆う開閉可能なカバーを備え、キャリッジを移動させて、このキャリッジに載置された記録ヘッドで、記録データに基づいて、リボンカートリッジから送り出されるインクリボンを介してシートに画像を記録する記録装置の制御方法において、
前記カバーが開かれ、かつ、画像記録中か否かを判定し、
前記カバーが開かれ、かつ、画像記録中と判定した場合、前記リボンカートリッジを取り外し不能に固定させることを特徴とする記録装置の制御方法。
【請求項１０】
通電により前記リボンカートリッジと、前記キャリッジ或いは記録装置本体とを引きつけて固定する電磁石を駆動して、前記リボンカートリッジを取り外し不能に固定させることを特徴とする請求項９に記載の記録装置の制御方法。
【請求項１１】
前記リボンカートリッジが取り外されたか否かを判定し、取り外されたと判定した場合は、前記記録データを受信しても前記キャリッジを停止させたままとすることを特徴とする請求項９又は１０に記載の記録装置の制御方法。
【請求項１２】
キャリッジの移動領域を覆う開閉可能なカバーを備え、キャリッジを移動させて、このキャリッジに載置された記録ヘッドで、記録データに基づいて、カートリッジ支持部に支持され、開閉可能な蓋で覆われたインクカートリッジのインクを吐出させてシートに画像を記録する記録装置の制御方法において、
前記カバーが開かれ、かつ、画像記録中か否かを判定し、
前記カバーが開かれ、かつ、画像記録中と判定した場合、前記蓋を閉状態に固定させることを特徴とする記録装置の制御方法。
【請求項１３】
通電により前記蓋とカートリッジ支持部とを引きつけて固定する電磁石を駆動して、前記蓋を閉状態に固定させることを特徴とする請求項１２に記載の記録装置の制御方法。
【請求項１４】
前記インクカートリッジが取り外されたか否かを判定し、取り外されたと判定した場合は、前記記録データを受信しても前記キャリッジを停止させたままとすることを特徴とする請求項１２又は１３に記載の記録装置の制御方法。
【請求項１５】
キャリッジの移動領域を覆う開閉可能なカバーを備え、キャリッジを移動させて、このキャリッジに載置された記録ヘッドで、記録データに基づいて、リボンカートリッジから送り出されるインクリボンを介してシートに画像を記録する記録装置をコンピュータにより制御するための制御プログラムにおいて、
前記カバーが開かれ、かつ、画像記録中か否かを判定し、
前記カバーが開かれ、かつ、画像記録中と判定した場合、前記リボンカートリッジを取り外し不能に固定させることを特徴とする制御プログラム。
【請求項１６】
キャリッジの移動領域を覆う開閉可能なカバーを備え、キャリッジを移動させて、このキャリッジに載置された記録ヘッドで、記録データに基づいて、カートリッジ支持部に支持され、開閉可能な蓋で覆われたインクカートリッジのインクを吐出させてシートに画像を記録する記録装置をコンピュータにより制御するための制御プログラムにおいて、
前記カバーが開かれ、かつ、画像記録中か否かを判定し、
前記カバーが開かれ、かつ、画像記録中と判定した場合、前記蓋を閉状態に固定させることを特徴とする制御プログラム。
【請求項１７】
キャリッジの移動領域を覆う開閉可能なカバーを備え、キャリッジを移動させて、このキャリッジに載置された記録ヘッドで、記録データに基づいて、リボンカートリッジから送り出されるインクリボンを介してシートに画像を記録する記録装置をコンピュータにより制御するための制御プログラムを記録した記録媒体において、
前記カバーが開かれ、かつ、画像記録中か否かを判定し、
前記カバーが開かれ、かつ、画像記録中と判定した場合、前記リボンカートリッジを取り外し不能に固定させるための制御プログラムを記録したことを特徴とするコンピュータ読み取り可能な記録媒体。
【請求項１８】
キャリッジの移動領域を覆う開閉可能なカバーを備え、キャリッジを移動させて、このキャリッジに載置された記録ヘッドで、記録データに基づいて、カートリッジ支持部に支持され、開閉可能な蓋で覆われたインクカートリッジのインクを吐出させてシートに画像を記録する記録装置をコンピュータにより制御するための制御プログラムを記録した記録媒体において、
前記カバーが開かれ、かつ、画像記録中か否かを判定し、
前記カバーが開かれ、かつ、画像記録中と判定した場合、前記蓋を閉状態に固定させるための制御プログラムを記録したことを特徴とするコンピュータ読み取り可能な記録媒体。
【発明の詳細な説明】
【０００１】
【発明の属する技術分野】
本発明は、キャリッジの移動領域を覆う開閉可能なカバーを有する記録装置、記録装置の制御方法、制御プログラム及び記録媒体に関する。
【０００２】
【従来の技術】
従来より、ドットインパクトプリンタやインクジェットプリンタは、キャリッジの移動領域を覆う開閉可能なカバーを備え、このカバーを開けることによって、リボンカートリッジやインクカートリッジなどの消耗品を交換できるように構成されている（例えば、特許文献１）。
【０００３】
【特許文献１】
特開２００１−１３００５９号公報
【０００４】
【発明が解決しようとする課題】
ところで、この種の記録装置においては、画像記録中にカバーが開けられた場合に、いちいち記録動作を停止させずに記録動作を継続し、スループットの向上を図るものがある。しかしながら、画像記録中など、キャリッジが移動しているときに、リボンカートリッジなどの交換部品が交換されると、リボンカートリッジのインクリボンが記録ヘッドから打ち出された記録ワイヤに引っ掛かるおそれがあり、印字不良が生じてしまう。また、この種の記録装置は、リボンカートリッジが取り外されていても、印刷データを入力すると、画像の記録動作を開始してしまうという問題がある。
【０００５】
そこで、本発明の目的は、上述した従来の技術が有する課題を解消し、印字不良を生じさせることなく、交換部品を交換できるようにした記録装置、記録装置の制御方法、制御プログラム及び記録媒体を提供することを目的とする。
【０００６】
【課題を解決するための手段】
上述課題を解決するため、請求項１に記載の発明は、キャリッジを移動させて、このキャリッジに載置された記録ヘッドで、記録データに基づいて、リボンカートリッジから送り出されるインクリボンを介してシートに画像を記録する記録装置において、前記キャリッジの移動領域を覆う開閉可能なカバーを備え、このカバーが開かれ、かつ、画像記録中の場合、前記リボンカートリッジを取り外し不能に固定する固定手段を備えることを特徴とする。
【０００７】
また、請求項２に記載の発明は、請求項１に記載の構成において、前記リボンカートリッジは、前記キャリッジ或いは記録装置本体に装着されることを特徴とする。
【０００８】
また、請求項３に記載の発明は、請求項１又は２に記載の構成において、前記固定手段は、通電により前記リボンカートリッジと、前記キャリッジ或いは記録装置本体とを引きつけて固定する電磁石であることを特徴とする。
【０００９】
また、請求項４に記載の発明は、請求項１乃至３のいずれかに記載の構成において、前記リボンカートリッジが取り外されたか否かを判定し、取り外されたと判定した場合は、前記記録データを受信しても前記キャリッジを停止させたままとする駆動停止手段を備えることを特徴とする。
【００１０】
また、請求項５に記載の発明は、キャリッジを移動させ、このキャリッジに載置された記録ヘッドから、記録データに基づいて、カートリッジ支持部に支持され、開閉可能な蓋で覆われたインクカートリッジのインクを吐出させてシートに画像を記録する記録装置において、前記キャリッジの移動領域を覆う開閉可能なカバーを備え、該カバーが開かれ、かつ、画像記録中の場合、前記蓋を閉状態に固定する固定手段を備えることを特徴とする。
【００１１】
また、請求項６に記載の発明は、請求項５に記載の構成において、前記カートリッジ支持部は、前記キャリッジ或いは記録装置本体に装着されることを特徴とする。また、請求項７に記載の発明は、請求項５又は６に記載の構成において、前記固定手段は、通電により前記蓋とカートリッジ支持部とを引きつけて固定する電磁石であることを特徴とする。
【００１２】
また、請求項８に記載の発明は、請求項５乃至７のいずれかに記載の構成において、前記インクカートリッジが取り外されたか否かを判定し、取り外されたと判定した場合は、前記記録データを受信しても前記キャリッジを停止させたままとする駆動停止手段を備えることを特徴とする。
【００１３】
また、請求項９に記載の発明は、キャリッジの移動領域を覆う開閉可能なカバーを備え、キャリッジを移動させて、このキャリッジに載置された記録ヘッドで、記録データに基づいて、リボンカートリッジから送り出されるインクリボンを介してシートに画像を記録する記録装置の制御方法において、前記カバーが開かれ、かつ、画像記録中か否かを判定し、前記カバーが開かれ、かつ、画像記録中と判定した場合、前記リボンカートリッジを取り外し不能に固定させることを特徴とする。
【００１４】
また、請求項１０に記載の発明は、請求項９に記載の構成において、通電により前記リボンカートリッジと、前記キャリッジ或いは記録装置本体とを引きつけて固定する電磁石を駆動して、前記リボンカートリッジを取り外し不能に固定させることを特徴とする。また、請求項１１に記載の発明は、請求項９又は１０に記載の構成において、前記リボンカートリッジが取り外されたか否かを判定し、取り外されたと判定した場合は、前記記録データを受信しても前記キャリッジを停止させたままとすることを特徴とする。
【００１５】
また、請求項１２に記載の発明は、キャリッジの移動領域を覆う開閉可能なカバーを備え、キャリッジを移動させて、このキャリッジに載置された記録ヘッドで、記録データに基づいて、カートリッジ支持部に支持され、開閉可能な蓋で覆われたインクカートリッジのインクを吐出させてシートに画像を記録する記録装置の制御方法において、前記カバーが開かれ、かつ、画像記録中か否かを判定し、前記カバーが開かれ、かつ、画像記録中と判定した場合、前記蓋を閉状態に固定させることを特徴とする。
【００１６】
また、請求項１３に記載の発明は、請求項１２に記載の構成において、通電により前記蓋とカートリッジ支持部とを引きつけて固定する電磁石を駆動して、前記蓋を閉状態に固定させることを特徴とする。また、請求項１４に記載の発明は、請求項１２又は１３に記載の構成において、前記インクカートリッジが取り外されたか否かを判定し、取り外されたと判定した場合は、前記記録データを受信しても前記キャリッジを停止させたままとすることを特徴とする。
【００１７】
また、請求項１５に記載の発明は、キャリッジの移動領域を覆う開閉可能なカバーを備え、キャリッジを移動させて、このキャリッジに載置された記録ヘッドで、記録データに基づいて、リボンカートリッジから送り出されるインクリボンを介してシートに画像を記録する記録装置をコンピュータにより制御するための制御プログラムにおいて、前記カバーが開かれ、かつ、画像記録中か否かを判定し、前記カバーが開かれ、かつ、画像記録中と判定した場合、前記リボンカートリッジを取り外し不能に固定させることを特徴とする。
【００１８】
また、請求項１６に記載の発明は、キャリッジの移動領域を覆う開閉可能なカバーを備え、キャリッジを移動させて、このキャリッジに載置された記録ヘッドで、記録データに基づいて、カートリッジ支持部に支持され、開閉可能な蓋で覆われたインクカートリッジのインクを吐出させてシートに画像を記録する記録装置をコンピュータにより制御するための制御プログラムにおいて、前記カバーが開かれ、かつ、画像記録中か否かを判定し、前記カバーが開かれ、かつ、画像記録中と判定した場合、前記蓋を閉状態に固定させることを特徴とする。
【００１９】
また、請求項１７に記載の発明は、キャリッジの移動領域を覆う開閉可能なカバーを備え、キャリッジを移動させて、このキャリッジに載置された記録ヘッドで、記録データに基づいて、リボンカートリッジから送り出されるインクリボンを介してシートに画像を記録する記録装置をコンピュータにより制御するための制御プログラムを記録した記録媒体において、前記カバーが開かれ、かつ、画像記録中か否かを判定し、前記カバーが開かれ、かつ、画像記録中と判定した場合、前記リボンカートリッジを取り外し不能に固定させるための制御プログラムを記録したことを特徴とする。
【００２０】
また、請求項１８に記載の発明は、キャリッジの移動領域を覆う開閉可能なカバーを備え、キャリッジを移動させて、このキャリッジに載置された記録ヘッドで、記録データに基づいて、カートリッジ支持部に支持され、開閉可能な蓋で覆われたインクカートリッジのインクを吐出させてシートに画像を記録する記録装置をコンピュータにより制御するための制御プログラムを記録した記録媒体において、前記カバーが開かれ、かつ、画像記録中か否かを判定し、前記カバーが開かれ、かつ、画像記録中と判定した場合、前記蓋を閉状態に固定させるための制御プログラムを記録したことを特徴とする。
【００２１】
【発明の実施の形態】
以下、図面を参照して本発明の実施形態を詳述する。
（１）  実施形態
図１は、本発明の記録装置の実施形態に係るプリンタ１０の側断面図であり、図２は、このプリンタ１０の外装カバー１１を外した状態を示す斜視図であり、図３は、プリンタ１０のカバー１１ａを開けた状態を示す斜視図である。
【００２２】
このプリンタ１０は、複数の記録ワイヤを選択的に打ち出す記録ヘッド２０と、この記録ヘッド２０が載置されるキャリッジ３０とを備え、記録ヘッド２０から打ち出された記録ワイヤをシートに打ち付けることによって文字を含む画像を記録するドットインパクトプリンタである。なお、シートとしては、カットシート、連続シート、葉書等が用いられる。
【００２３】
図１に示すように、このプリンタ１０は、記録ユニットを構成するプリンタ本体１２と、トラクタユニット１３と、シートガイド１４と、排紙トレイ１６とを備え、これらが外装カバー１１で覆って構成されている。
【００２４】
プリンタ本体１２は、図１及び図２に示すように、記録ヘッド２０やキャリッジ３０等から構成される記録機構部２２と、プラテン２３やシート搬送ローラ２４、２５等から構成されるシート搬送機構部２６とを備える。
【００２５】
このプリンタ本体１２は、左サイドフレーム２７Ｌと右サイドフレーム２７Ｒとの間に、シート案内フレーム２８、プラテン２３、キャリッジガイド軸２９及びローラ軸２４ａ、２５ａを略平行に架け渡して構成されている。この右サイドフレーム２７Ｒは、シート搬送モータ３２及びキャリッジ駆動モータ３１を支持し、このシート搬送モータ３２が、輪列機構（不図示）を介してプラテン２３及びローラ軸２４ａ、２５ａを回転させる。これらプラテン２３及びローラ軸２４ａ、２５ａが回転することによって、シートがシートガイド１４及びシート案内フレーム２８に沿って搬送される。
【００２６】
キャリッジガイド軸２９は、キャリッジ３０を軸方向に移動可能に支持する。キャリッジ３０は、キャリッジ駆動ベルトに固定され、このキャリッジ駆動ベルトがキャリッジ駆動モータ３１によって駆動されることにより、キャリッジガイド軸２９の軸方向に往復動作（往復走行）する。
【００２７】
記録ヘッド２０は、キャリッジ３０に搭載され、キャリッジ３０がキャリッジガイド軸２９の軸方向に移動することにより、図２に示すように、主走査方向（矢印Ｘ方向）に移動する。この記録ヘッド２０は、複数の記録ワイヤを、プラテン２３に向けて打ち出す構成を備えている。
【００２８】
また、プリンタ本体１２には、図１に示すように、リボン巻き取り軸５０が取り付けられ、このリボン巻き取り軸５０は、モータ（不図示）で駆動されるリボンドライブユニット９０に連結されている。そして、このリボン巻き取り軸５０に対して、図３に示すように、リボンカートリッジ３８が着脱自在に装着され、このリボンカートリッジ３８のインクリボンが、記録ヘッド２０とプラテン２３との間に配置される。これにより、記録ヘッド２０は、キャリッジ３０により主走査方向に移動する間に、記録ワイヤを突出させてインクリボンに打ち当て、プラテン２３と記録ヘッド２０との間に搬送されたシートに一行分の文字等の画像を記録する。
【００２９】
トラクタユニット１３は、トラクタベルト１３Ａの回転によりシートをシート案内フレーム２８に向けて搬送する。ここで、外装カバー１１は、プリンタ１０のフロント側に開閉可能なカバー１５を備えており、このカバー１５を開くことにより、シートをトラクタユニット１３上にセットすることができる。
【００３０】
また、シートガイド１４は、シートを手差し給紙する際の手差しトレイとして機能すると共に、上記トラクタユニット１３により、シートがプリンタ１０のフロントから給紙された場合（フロント給紙の場合）は、シートの排紙トレイとして機能する。
【００３１】
以上の構成の下、記録ヘッド２０による記録動作は、記録ヘッド２０が、キャリッジ３０により主走査方向（矢印Ｘ方向）に移動される間に、記録ヘッド２０からの記録ワイヤの打ち出しにより一行分の記録がなされ、この一行分の記録がなされる度に、フロント給紙の場合は、トラクタユニット１３及びシート搬送機構部２６が、リア給紙（手差し給紙）の場合は、プラテン２３が、シートを所定長（通常行間分）搬送させ、これらの動作が繰り返されることにより実施される。
【００３２】
上述した記録ヘッド２０、キャリッジ駆動モータ３１及びシート搬送モータ３２の制御は、制御基板部４０（図１参照）が行う。この制御基板部４０は、図示しない記憶部に記憶されたプログラムを実行することによって、通信ケーブル４１を介して接続された外部機器（例えば、パーソナルコンピュータ）から受信した印刷データに基づいて印刷制御を行ったり、後述する各種制御などを行う。
【００３３】
ところで、このプリンタ１０の外装カバー１１は、図１に示すように、キャリッジ３０の移動領域を覆う開閉可能なカバー１１ａを備え、このカバー１１ａを開けることによってリボンカートリッジ６０を交換したり、各種メンテナンスが可能となっている。前提として、このプリンタ１０は、カバー１１ａが閉状態か開状態かに関係なく、印刷データに基づいて画像の記録制御を行う。このため、記録動作中であるにも関わらず、使用者が誤ってカバー１１ａを開けてリボンカートリッジ６０を取り外そうとすると、インクリボンが記録ワイヤに引っ掛かるなどして印字不良が発生するおそれがある。
【００３４】
そこで、本実施形態では、リボンカートリッジ６０を取り外し不能に固定可能なロック機構（固定手段）７０を備え、記録動作中にカバー１１ａが開けられている場合はリボンカートリッジ６０を取り外しできないように固定するロック制御を行う。以下、このロック機構７０及びロック制御の詳細について説明する。
【００３５】
図４は、ロック制御のための構成を機能に則して示すブロック図である。この図において、第１センサ７１は、カバー１１ａが開状態か否かを検出して制御基板部４０に出力するものである。また、第２センサ７２は、リボンカートリッジ６０が取り外された状態か否かを検出して制御基板部４０に出力するものである。この第１センサ７１は、外装カバー１１などに設けられ、第２センサ７２は、リボンドライブユニット９０などに設けられる。なお、これら第１センサ７１及び第２センサ７２は、非接触式センサ又は接触式センサのいずれも適用することができ、また、第２センサ７２については、リボン巻き取り軸５０の駆動トルクを検出することによって、リボンカートリッジ６０の有無を検出するものであってもよい。
【００３６】
本実施形態において、ロック機構７０は、図３に示すように、リボンカートリッジ６０に設けられた電磁石７３と、この電磁石７３と対向する位置に設けられた対向側電磁石７４（不図示）とから構成される。リボンカートリッジ６０側の電磁石７３は、リボンカートリッジ６０がプリンタ１０に装着されると、制御基板部４０の一部を構成する電磁石駆動部（駆動手段）４０Ａと配線を介して接続され、この電磁石駆動部４０Ａから供給される電流によって磁化される。
【００３７】
また、電磁石７３は、外装カバー１１の部分１１Ａのリボンカートリッジ６０の側面と対向する面１１Ｂに設けられ、電磁石駆動部４０Ａから供給される電流によって磁化される。この電磁石駆動部４０Ａは、これら電磁石７３、７４を互いに引きつけ合うように磁化させ、これによって、リボンカートリッジ６０をプリンタ本体１２側に引きつけ、リボンカートリッジ６０を取り外し不能に固定する。なお、対向する電磁石７３、７４のうち一方を磁石に引きつけられる鉄等の磁性体にしてもよく、要は、リボンカートリッジ６０を取り外し不能に固定できればよい。
【００３８】
本実施形態では、制御基板部４０が、所定条件下でリボンカートリッジ６０を取り外し不能に固定するロック制御と、リボンカートリッジ６０が取り外されている場合は、印刷データを入力したか否かに関わらず、キャリッジ３０の駆動を停止させるキャリッジ駆動停止制御とを行うことを特徴としている。以下、これらの動作について説明する。
【００３９】
図５は、ロック制御のシーケンスを示すフローチャートである。なお、このシーケンスは、キャリッジ３０を駆動して記録動作を行っている場合に繰り返し実行されるシーケンスである。まず、制御基板部４０は、第１センサ７１の検出結果に基づいてカバー１１ａが開状態か否かを判定する（ステップＳ１）。そして、カバー１１ａが開状態であると判定した場合、制御基板部４０は、電磁石駆動部４０Ａを駆動することにより、電磁石７３及び対向側電磁石７４を磁化させ、リボンカートリッジ６０を取り外し不能に固定する（ステップＳ２）。一方、カバー１１ａが開状態でない、つまり閉状態であると判定した場合、制御基板部４０は、電磁石駆動部４０Ａを駆動している場合はその駆動を停止し（ステップＳ３）、このシーケンスを終了する。
【００４０】
このように、本実施形態によれば、記録動作中であって、かつ、カバー１１ａが開状態である場合は、リボンカートリッジ６０を交換不能にすることができる。これにより、使用者が誤って記録動作中にカバー１１ａを開けてリボンカートリッジ６０を取り外そうとしても、リボンカートリッジ６０を取り外すことができず、インクリボンが記録ワイヤに引っ掛かるなどして印字不良が生じる場合を防止することができる。
【００４１】
さらに、制御基板部（駆動停止手段）４０は、第２センサ７２の検出結果に基づいてリボンカートリッジ６０が取り外された状態か否かを判定しており、リボンカートリッジ６０が取り外されていないと判断している場合は、外部機器から印刷データを受信した場合は、キャリッジ３０及び記録ヘッド２０を駆動して記録動作を開始する一方、リボンカートリッジ６０が取り外された状態であると判断している場合は、印刷データを受信してもキャリッジ３０を停止したままととし、記録動作を開始しない。このように、本実施形態では、リボンカートリッジ６０が取り外されている場合は、印刷データを受信してもキャリッジ３０をていししたままとする制御を行うので、リボンカートリッジ６０が取り外されている状態で記録動作を開始してしまう場合を回避することができる。言い換えれば、リボンカートリッジ６０を取り付ける際は、キャリッジ３０が必ず停止しており、リボンカートリッジ６０を簡易に取り付けることができ、かつ、取り付けの際に印字不良を生じさせる場合を回避することができる。
【００４２】
（２）  変形例
上述した実施形態は、あくまで本発明の一態様にすぎず、本発明の範囲内で任意に変形が可能である。例えば、以下のような変形実施が可能である。
【００４３】
（２．１）
上述の実施形態では、リボンカートリッジ６０が、プリンタ本体１２に固定されたステイショナルタイプのプリンタを例示したが、リボンカートリッジ６０がキャリッジ３０に固定されたオンキャリッジタイプのプリンタに適用してもよい。
【００４４】
（２．２）
上述の実施形態では、カバー１１ａが開かれ、かつ、画像記録中の場合に、リボンカートリッジ６０を取り外し不能にする場合について述べたが、キャリッジ３０が駆動中は常にリボンカートリッジ６０を取り外し不能に固定してもよい。この場合、カバー１１ａが開状態か否かを検出する第１センサ７１が必要ないため、コスト低減が可能である。この場合のロック制御のシーケンスは、例えば、図６に示すように、まず、制御基盤部４０は、キャリッジ３０が駆動中（キャリッジモータ３１が駆動中）か否かを判断し（ステップＳ１Ａ）、キャリッジ３０が駆動中の場合、リボンカートリッジ６０の交換を禁止すべく、電磁石駆動部４０Ａを駆動してリボンカートリッジ６０を取り外し不能に固定する（ステップＳ２）。一方、キャリッジ３０が非駆動中の場合、制御基盤部４０は、リボンカートリッジ６０を交換可能とすべく、電磁石駆動部４０Ａを駆動することなく、若しくはその駆動を停止して（ステップＳ３）、このシーケンスを終了する。
【００４５】
（２．３）
また、上記ステップＳ２の判断結果に基づいてリボンカートリッジ６０が交換可能な状態か否かを使用者に通知する通知処理を行ってもよい。具体的には、キャリッジ３０が非駆動中の場合は、リボンカートリッジ６０が交換可能である旨の情報を図示しない表示部に表示し、キャリッジ３０が駆動中の場合は、リボンカートリッジ６０が交換不可能である旨の情報を表示してもよい。
【００４６】
（２．４）
上述の各実施形態では、ドットインパクトプリンタに本発明を適用する場合について述べたが、インクジェットプリンタに適用してもよい。図７は、インクジェットプリンタを示す図である。なお、以下の説明においては、説明の便宜上、上記プリンタ１０と同様の構成は同一の符号を付して説明する。この図に示すように、インクジェットプリンタ１００は、筐体１０１に、給紙トレイ１０２及び排紙トレイ１０３を備え、この筐体１０１の上部を覆うカバー１０４が開閉可能に構成される。そして、このカバー１０４が開状態の場合に、インクカートリッジを収納するキャリッジ１１０が露出されるように構成されている。
【００４７】
図８は、キャリッジ１１０を示す斜視図である。このキャリッジ１１０のカートリッジ支持部は、黒、シアン、マゼンタ、イエローなどのインクを貯留した複数のインクカートリッジを収納し、これらインクカートリッジのインクを記録ヘッド（不図示）に供給するものである。また、このキャリッジ１１０のカートリッジ支持部は、収納した各インクカートリッジの上方に開閉可能な蓋１１１、１１２を備え、これら蓋１１１、１１２は、インクカートリッジを取り外す際に開けられる。
【００４８】
このインクジェットプリンタ１００が、上記プリンタ１０と記録方式以外で大きく異なる点は、ロック機構７０の電磁石が配置される位置と、第２センサ７２がインクカートリッジが取り外された状態か否かを検出してプリンタ１００を制御する制御基板部４０に出力する点である。具体的には、このプリンタ１００のロック機構７０は、図８に示すように、キャリッジ１１０の各蓋１１１、１１２に設けられた電磁石１１３と、支持部本体１１５に設けられ電磁石１１４とから構成され、電磁石駆動部（駆動手段）４０Ａが各電磁石１１３、１１４に電流を供給することによって各蓋１１１、１１２を閉状態に保持することができる。なお、電磁石１１１、１１２の一方を磁石に引きつけられる鉄などの部材にしてもよい。
【００４９】
従って、このインクジェットプリンタ１００においても、上記プリンタ１０と同様のロック制御を行うことにより、記録動作中であって、かつ、カバー１０４が開状態である場合は、カートリッジ支持部１１０の蓋１１１、１１２を閉じた状態に保持してインクカートリッジを取り外し不能に固定することができる。
【００５０】
また、上記変形例に記載した、キャリッジ３０の駆動状態に基づいてインクカートリッジを取り外し不能に固定するロック制御を行うことにより、簡易な処理で、少なくともキャリッジ３０の移動中はインクカートリッジを交換不能にすることができる。これにより、印字不良を生じさせることなく、インクカートリッジを交換可能とすることができる。
【００５１】
また、制御基板部４０が、第２センサ７２の検出結果に基づいてインクカートリッジが取り外された状態か否かを判定し、インクカートリッジが取り外された状態であると判定している場合は、印刷データを入力したか否かに関わらず、キャリッジ３０の駆動を停止するキャリッジ駆動停止制御を行う。これにより、インクカートリッジが装着されていない状態で記録動作を開始してしまう場合を回避することができ、また、インクカートリッジをキャリッジ３０が停止した状態でのみ交換することが可能となる。
【００５２】
（２．５）
上述の各実施形態では、ロック機構７０として電磁石を用いる場合について述べたが、要は、リボンカートリッジ６０を取り外しできないように固定する機構、若しくは、カートリッジ支持部１１０の蓋１１１、１１２を閉状態に保持する機構であればよく、蓋１１１、１１２にフックを引っ掛けて閉状態に保持するフック機構などを広く適用することができる。
【００５３】
（２．６）
上述の各実施形態では、本発明をドットインパクトプリンタやインクジェットプリンタに適用する場合について述べたが、ファクシミリなどの他の記録装置に広く適用することができる。
【００５４】
（２．７）
上述の各実施形態では、ロック制御及びキャリッジ駆動停止制御を行うためのプログラムを記録装置に予め格納しておく場合について述べたが、このプログラムを磁気記録媒体、光記録媒体、半導体記録媒体などのコンピュータが読み取り可能な記録媒体に格納し、コンピュータが記録媒体からこのプログラムを読み取って実行するようにしてもよい。また、このプログラムをネットワーク上のサーバなどからダウンロードできるようにしてもよい。
【００５５】
【発明の効果】
上述したように本発明によれば、印字不良を生じさせることなく、リボンカートリッジやインクカートリッジなどの交換部品を交換することが可能となる。
【図面の簡単な説明】
【図１】本発明の記録装置の実施形態に係るプリンタの側断面図である。
【図２】同プリンタの外装カバーを外した状態を示す斜視図である。
【図３】同プリンタのカバーを開けた状態を示す斜視図である。
【図４】同プリンタのロック制御のための構成を機能に則して示すブロック図である。
【図５】同プリンタのロック制御のシーケンスを示すフローチャートである。
【図６】変形例に係るロック制御のシーケンスを示すフローチャートである。
【図７】変形例に係るインクジェットプリンタの斜視図である。
【図８】同インクジェットプリンタのカートリッジ支持部の斜視図である。
【符号の説明】
１０  プリンタ
１１  外装カバー
１１ａ、１０４  カバー
１２  プリンタ本体
１３  トラクタユニット
１４  シートガイド
１６  排紙トレイ
２０  記録ヘッド
２３  プラテン
３０  キャリッジ
３１  キャリッジモータ
３２  シート搬送モータ
４０  制御基板部
４０Ａ  電磁石駆動部
６０  リボンカートリッジ
７０  ロック機構
７１  第１センサ
７２  第２センサ
７３、７４、１１３、１１４  電磁石
１００  インクジェットプリンタ
１１０  カートリッジ支持部
１１１、１１２  蓋
【図１】
2004351665.tif 000003
【図２】
2004351665.tif 000004
【図３】
2004351665.tif 000005
【図４】
2004351665.tif 000006
【図５】
2004351665.tif 000007
【図６】
2004351665.tif 000008
【図７】
2004351665.tif 000009
【図８】
2004351665.tif 000010